(57)【特許請求の範囲】
【請求項１】
走行用の動力を出力可能な内燃機関と、走行用の動力を出力可能な電動機と、駆動輪に動力を伝達する動力伝達系に設けられた手動変速可能な変速部と、この変速部の手動による変速操作を促す変速案内が可能な変速指示部とを備えたハイブリッド車両の変速指示装置であって、
上記変速部において設定される複数の変速段それぞれに対して上限駆動力が予め規定されており、
現在の駆動力と、現在の変速段に対して設定されている上限駆動力との偏差が所定値以下に達した場合に、現在の変速段に対して設定されている上限駆動力よりも高い上限駆動力が設定されている変速段への変速操作を上記運転者に促すようになっており、
上記偏差の所定値は、内燃機関の運転が過渡状態にある場合には、過渡状態にない場合に比べて大きく設定されていることを特徴とするハイブリッド車両の変速指示装置。
【請求項２】
請求項１記載のハイブリッド車両の変速指示装置において、
推奨変速段に対して設定されている上限駆動力が、現在の駆動力よりも低い場合には、この推奨変速段への変速操作を運転者に促す動作を非実施とすることを特徴とするハイブリッド車両の変速指示装置。
【請求項３】
請求項１または２記載のハイブリッド車両の変速指示装置において、
アクセルペダルの踏み込み量が所定量に達した場合にＯＮ作動して、変速比が高い側の変速段へ自動変速を行わせるためのキックダウンスイッチを備えており、
このキックダウンスイッチのＯＮ作動時には、推奨変速段への変速操作を運転者に促す動作を非実施とすることを特徴とするハイブリッド車両の変速指示装置。
【請求項４】
請求項１または２記載のハイブリッド車両の変速指示装置において、
アクセルペダルの踏み込み量が所定量に達した場合にＯＮ作動して、変速比が高い側の変速段へ自動変速を行わせるためのキックダウンスイッチを備えており、
このキックダウンスイッチのＯＮ作動時には、現在の変速段が推奨変速段に対して変速比が高い側の変速段であった場合に限り、変速比が低い側の変速段への変速操作を運転者に促す動作を実施することを特徴とするハイブリッド車両の変速指示装置。
【請求項５】
請求項１〜４のうち何れか一つに記載のハイブリッド車両の変速指示装置において、
上記動力伝達系の変速部は、変速比を無段階に切り換え可能とする無段変速機構であって、手動変速モードでは、上記無段変速機構で設定される変速比が複数段階に切り換えられる構成とされていることを特徴とするハイブリッド車両の変速指示装置。
【請求項６】
請求項５記載のハイブリッド車両の変速指示装置において、
上記動力伝達系の変速部は、上記内燃機関の出力軸が連結されるプラネタリキャリアと、第１の電動機が連結されるサンギヤと、第２の電動機が連結されるリングギヤとを備えた遊星歯車機構により構成される動力分割機構であって、
上記第１の電動機の回転速度を制御することによって内燃機関の回転速度を変更することで動力伝達系における変速比が変更可能となっていることを特徴とするハイブリッド車両の変速指示装置。
【発明の詳細な説明】
【技術分野】
【０００１】
本発明は、ハイブリッド車両に搭載され、車両の運転者（ドライバ）に対して変速指示を行う変速指示装置に係る。特に、本発明は、車両の駆動力を適正に得るための対策に関する。
【背景技術】
【０００２】
近年、環境保護の観点から、車両に搭載されたエンジン（内燃機関）からの排気ガスの排出量低減および燃料消費率（燃費）の改善が望まれており、これを満足する車両として、ハイブリッド車両が開発・実用化されている。
【０００３】
このハイブリッド車両は、エンジンと、このエンジンの出力により発電された電力やバッテリ（蓄電装置）に蓄えられた電力により駆動する電動機（例えば、モータジェネレータまたはモータ）とを備え、それらエンジンおよび電動機のいずれか一方または双方を走行駆動力源として走行することが可能である。
【０００４】
また、ハイブリッド車両などの車両においては、手動変速モード（シーケンシャルシフトモード）の選択が可能な車両がある（例えば特許文献１および特許文献２を参照）。さらに、このような車両において、手動変速モードでの走行中に、エンジン負荷や車速などから求まる適正な変速段（例えば、燃料消費率を最適化できる推奨変速段）に対し、それとは異なる変速段が選択されている場合に、ドライバに推奨変速段への変速操作（シフトアップ操作またはシフトダウン操作）を促す変速指示（変速案内）を行う変速指示装置（一般に、ギヤシフトインジケータ（ＧＳＩ）と呼ばれている）が搭載されているものもある（例えば特許文献３を参照）。
【先行技術文献】
【特許文献】
【０００５】
【特許文献１】特開２０１０−１３００１号公報
【特許文献２】特開２０１０−１８２５６号公報
【特許文献３】特開２００４−２５７５１１号公報
【発明の概要】
【発明が解決しようとする課題】
【０００６】
ところで、この種のハイブリッド車両において、手動変速モードで選択される各変速段毎に駆動力（駆動輪に得られる回転駆動力）の上限値を設定することが考えられる。例えば、変速比が小さい変速段ほど（Ｈｉギヤ段ほど）駆動力の上限値を低く設定する。これにより、車両加速時などのように高い駆動力が要求される際には変速比が大きい変速段（Ｌｏｗギヤ段）への変速が必要となるようにすることで、ハイブリッド車両において、一般的な手動変速機を備えた車両と同等の駆動力特性が模擬できることになる。
【０００７】
ところが、上記変速指示装置を搭載した車両において、上述した如く各変速段毎に駆動力の上限値を設定した場合、以下に述べるような課題を招く可能性がある。
【０００８】
例えば、変速指示装置の変速指示（推奨変速段への変速指示）にしたがって運転者が変速操作を行った場合に、変速後の変速段に対して設定されている駆動力の上限値（推奨変速段が成立した際のその推奨変速段に設定されている駆動力の上限値）が変速前の駆動力よりも小さい場合には、この変速操作を行ったことによって駆動力が制限されることになる。その結果、要求する駆動力が得られなくなって、運転者がヘジテーション（車両のもたつき感）を感じてしまうなどドライバビリティの悪化を招く可能性がある。
【０００９】
また、このような状況では、アクセルペダルの踏み込み量が比較的大きい場合や、登坂路の走行時などにおいて、十分な駆動力が得られないことから運転者に違和感を与えてしまう可能性もある。
【００１０】
さらに、キックダウンスイッチ（アクセルペダルの踏み込み量が所定量に達した場合に変速段をＬｏｗギヤ側に自動変更するためのスイッチ）を搭載した車両の場合には、このキックダウン中に変速指示装置の変速指示が行われてしまう可能性もあり、この場合にも運転者に違和感を与えてしまうことになる。
【００１１】
本発明は、かかる点に鑑みてなされたものであり、その目的とするところは、手動変速モードによる変速が可能なハイブリッド車両に対し、適正な駆動力を得ることができる変速指示装置を提供することにある。
【課題を解決するための手段】
【００１２】
−発明の解決原理−
上記の目的を達成するために講じられた本発明の解決原理は、手動変速モードで選択される各変速段それぞれに駆動力の上限値が設定されている場合に、実駆動力が、現在の変速段で設定されている駆動力の上限値に近づいた場合には、変速指示装置によるシフトダウン指示を行う。これにより、駆動力が上限値によって制限されることを回避する。また、シフトアップ側の変速段に対して設定されている駆動力の上限値が実駆動力よりも小さい場合には、変速指示装置によるシフトアップ側への変速指示を禁止するようにしている。
【００１３】
−解決手段−
具体的に、本発明は、走行用の動力を出力可能な内燃機関と、走行用の動力を出力可能な電動機と、駆動輪に動力を伝達する動力伝達系に設けられた手動変速可能な変速部と、この変速部の手動による変速操作を促す変速案内が可能な変速指示部とを備えたハイブリッド車両の変速指示装置を前提とする。このハイブリッド車両の変速指示装置に対し、上記変速部において設定される複数の変速段それぞれに対して上限駆動力が予め規定されており、現在の駆動力と、現在の変速段に対して設定されている上限駆動力との偏差が所定値以下に達した場合に、現在の変速段に対して設定されている上限駆動力よりも高い上限駆動力が設定されている変速段への変速操作を上記運転者に促すようにしている。また、上記偏差の所定値としては、内燃機関の運転が過渡状態にある場合には、過渡状態にない場合に比べて大きくなるように設定している。
【００１４】
なお、本発明でいう「変速段」の定義は、「運転者の手動での操作によって切り換えられる運転状態」である。具体的には、それぞれの段（変速段）において固定された変速比や、それぞれの段において一定の幅を持った変速比も、本発明でいう「変速段」に含まれる。また、この一定の幅を持った変速比とは、自動変速のようなリニアな幅や、有段変速かつレンジホールド（このレンジホールドについては後述する）のステップ的な幅をいう。また、このレンジホールドの場合における「段」の概念として、例えばエンジンブレーキによる制動力を高めるレンジ（エンジンブレーキレンジ；Ｂレンジ）を備えた車両にあっては、このＢレンジもこの「段」という文言の意味に含まれる。
【００１５】
上記特定事項により、運転者が変速指示にしたがって変速操作を行うことにより、上昇する駆動力が上記上限値によって制限されてしまうといったことが回避され、運転者の要求する駆動力を得ることが可能になる。このため、変速段それぞれに対して上限駆動力を予め規定したことで、ハイブリッド車両において、一般的な手動変速機を備えた車両と同等の駆動力特性を模擬できるようにしながらも、運転者が高い駆動力を要求する場合には、その要求駆動力を得ることが可能になり、ドライバビリティの改善を図ることができる。
また、内燃機関の運転が過渡状態にある場合には、変速指示装置による変速指示（例えばシフトダウン側への変速指示）を早めに開始させることができる。つまり、要求駆動力の変化が大きくなると想定される状況においては変速指示を早めに開始させるようにしている。これにより、駆動力が、上記上限値によって制限されてしまう前に運転者に変速操作（シフトダウン側への変速操作）を行わせることができ、駆動力が制限されるといった状況を確実に回避することができる。
【００１６】
また、推奨変速段に対して設定されている上限駆動力が、現在の駆動力よりも低い場合には、この推奨変速段への変速操作を運転者に促す動作を非実施とするようにしている。
【００１７】
つまり、仮に推奨変速段への変速操作が促された場合に、それにしたがって運転者が変速操作した際に駆動力が小さくなってしまうといった状況を回避することができる。これにより、駆動力不足によるドライバビリティの悪化を招くといったことを防止できる。また、アクセルペダルの踏み込み量が比較的大きい場合や、登坂路の走行時などにおいて、駆動力不足により運転者に違和感を与えてしまうといったこともなくなる。
【００２１】
上記動力伝達系の変速部として具体的には、変速比を無段階に切り換え可能とする無段変速機構であって、手動変速モードでは、この無段変速機構で設定される変速比が複数段階に切り換えられる構成としている。
【００２２】
なお、ここでいう手動変速モードとは、シフトレバーがシーケンシャル（Ｓ）位置に操作されている場合である。さらに、レンジ位置として「２（２ｎｄ）」「３（３ｒｄ）」等を備えている場合には、これら「２（２ｎｄ）」や「３（３ｒｄ）」のレンジ位置にシフトレバーが操作されている場合も手動変速モードとなる。
【００２３】
また、上記変速部としては、上記内燃機関の出力軸が連結されるプラネタリキャリアと、第１の電動機が連結されるサンギヤと、第２の電動機が連結されるリングギヤとを備えた遊星歯車機構により構成される動力分割機構であって、上記第１の電動機の回転速度を制御することによって内燃機関の回転速度を変更することで駆動力伝達系における変速比が変更可能な構成とされている。
【発明の効果】
【００２４】
本発明では、変速段の変更を運転者に促す変速指示装置において、各変速段それぞれに駆動力の上限値が設定されている場合に、実駆動力が、現在の変速段に対して設定されている駆動力の上限値に近づいた場合には、変速指示装置によって、上限駆動力が高く設定されている変速段への変速操作を促すようにしている。このため、上昇する駆動力が上記上限値によって制限されてしまうといったことが回避され、運転者の要求する駆動力を得ることが可能になる。
【図面の簡単な説明】
【００２５】
【図１】実施形態に係るハイブリッド車両の概略構成を示す図である。
【図２】ハイブリッド車両の制御系の概略構成を示すブロック図である。
【図３】ハイブリッド車両の基本制御の手順を示すフローチャート図である。
【図４】要求駆動力設定マップの一例を示す図である。
【図５】目標エンジン回転速度設定マップの一例を示す図である。
【図６】目標変速段設定マップの一例を示す図である。
【図７】車速および変速段に応じて得られるエンジンブレーキの特性を示す図である。
【図８】駆動力上限値マップの一例を示す図である。
【図９】コンビネーションメータを示す図である。
【図１０】シフトアップランプおよびシフトダウンランプの点灯状態を示す図であって、図１０（ａ）はシフトアップ指示時を、図１０（ｂ）はシフトダウン指示時をそれぞれ示す図である。
【図１１】第１実施形態における変速段指示制御の手順を示すフローチャート図である。
【図１２】駆動力上限値マップの変形例を示す図である。
【図１３】参考例１における駆動力上限値マップの一例を示す図である。
【図１４】参考例１における変速段指示制御の手順を示すフローチャート図である。
【図１５】第２実施形態における所定値αの設定ルーチンを示す図である。
【図１６】第２実施形態における駆動力上限値マップを示す図であり、図１６（ａ）は所定値αが大きな値α１として設定された駆動力上限値マップを、図１６（ｂ）は所定値αが小さな値α２として設定された駆動力上限値マップをそれぞれ示す図である。
【図１７】参考例２における所定値αの設定ルーチンを示す図である。
【図１８】路面勾配に応じて所定値αを設定するマップの一例を示す図である。
【図１９】第３実施形態における変速段指示制御の手順を示すフローチャート図である。
【図２０】第４実施形態における変速段指示制御の手順を示すフローチャート図である。
【発明を実施するための形態】
【００２６】
以下、本発明の実施の形態を図面に基づいて説明する。本実施形態では、ＦＦ（フロントエンジン・フロントドライブ）方式のハイブリッド車両に本発明を適用した場合について説明する。
【００２７】
図１は本実施形態に係るハイブリッド車両１の概略構成を示す図である。この図１に示すように、ハイブリッド車両１は、前輪（駆動輪）６ａ，６ｂに駆動力を与えるための駆動系として、エンジン２と、エンジン２の出力軸としてのクランクシャフト２ａにダンパ２ｂを介して接続された３軸式の動力分割機構３と、この動力分割機構３に接続された発電可能な第１モータジェネレータＭＧ１と、動力分割機構３に接続された駆動軸としてのリングギヤ軸３ｅにリダクション機構７を介して接続された第２モータジェネレータＭＧ２とを備えている。これらクランクシャフト２ａ、動力分割機構３、第１モータジェネレータＭＧ１、第２モータジェネレータＭＧ２、リダクション機構７およびリングギヤ軸３ｅによって本発明でいう動力伝達系が構成されている。
【００２８】
また、上記リングギヤ軸３ｅは、ギヤ機構４および前輪用のデファレンシャルギヤ５を介して前輪６ａ，６ｂに接続されている。
【００２９】
また、このハイブリッド車両１は、車両の駆動系全体をコントロールするハイブリッド用電子制御ユニット（以下、ハイブリッドＥＣＵ（Ｅｌｅｃｔｒｏｎｉｃ  Ｃｏｎｔｒｏｌ  Ｕｎｉｔ）という）１０を備えている。
【００３０】
−エンジンおよびエンジンＥＣＵ−
エンジン２は、ガソリンまたは軽油などの炭化水素系の燃料により動力を出力する内燃機関であり、エンジン２の運転状態を検出する各種センサから信号を入力するエンジン用電子制御ユニット（以下、エンジンＥＣＵという）１１によって、燃料噴射制御、点火制御、吸入空気量調節制御などの運転制御が行われる。
【００３１】
エンジンＥＣＵ１１は、ハイブリッドＥＣＵ１０と通信を行っており、このハイブリッドＥＣＵ１０からの制御信号に基づいてエンジン２を運転制御するとともに、必要に応じてエンジン２の運転状態に関するデータをハイブリッドＥＣＵ１０に出力する。なお、エンジンＥＣＵ１１は、クランクポジションセンサ５６や水温センサ５７等が接続されている。クランクポジションセンサ５６は、クランクシャフト２ａが一定角度回転する毎に検出信号（パルス）を出力する。このクランクポジションセンサ５６からの出力信号に基づいてエンジンＥＣＵ１１はエンジン回転速度Ｎｅを算出する。また、水温センサ５７はエンジン２の冷却水温度に応じた検出信号を出力する。
【００３２】
−動力分割機構−
動力分割機構３は、図１に示すように、外歯歯車のサンギヤ３ａと、このサンギヤ３ａと同心円上に配置された内歯歯車のリングギヤ３ｂと、サンギヤ３ａに噛み合うとともにリングギヤ３ｂに噛み合う複数のピニオンギヤ３ｃと、これら複数のピニオンギヤ３ｃを自転かつ公転自在に保持するプラネタリキャリア３ｄとを備え、サンギヤ３ａとリングギヤ３ｂとプラネタリキャリア３ｄとを回転要素とし差動作用を行う遊星歯車機構として構成されている。この動力分割機構３では、プラネタリキャリア３ｄにエンジン２のクランクシャフト２ａが連結されている。また、サンギヤ３ａに第１モータジェネレータＭＧ１のロータ（回転子）が連結されている。さらに、リングギヤ３ｂに上記リングギヤ軸３ｅを介して上記リダクション機構７が連結されている。
【００３３】
そして、このような構成の動力分割機構３において、プラネタリキャリア３ｄに入力されるエンジン２の出力トルクに対して、第１モータジェネレータＭＧ１による反力トルクがサンギヤ３ａに入力されると、出力要素であるリングギヤ３ｂには、エンジン２から入力されたトルクより大きいトルクが現れる。この場合、第１モータジェネレータＭＧ１は発電機として機能する。第１モータジェネレータＭＧ１が発電機として機能するときには、プラネタリキャリア３ｄから入力されるエンジン２の駆動力が、サンギヤ３ａ側とリングギヤ３ｂ側とにそのギヤ比に応じて分配される。
【００３４】
一方、エンジン２の始動要求時にあっては、第１モータジェネレータＭＧ１が電動機（スタータモータ）として機能し、この第１モータジェネレータＭＧ１の駆動力がサンギヤ３ａおよびプラネタリキャリア３ｄを介してクランクシャフト２ａに与えられてエンジン２がクランキングされる。
【００３５】
また、動力分割機構３において、リングギヤ３ｂの回転速度（出力軸回転速度）が一定であるときに、第１モータジェネレータＭＧ１の回転速度を上下に変化させることにより、エンジン２の回転速度を連続的に（無段階に）変化させることができる。つまり、動力分割機構３が変速部として機能する。
【００３６】
−リダクション機構−
上記リダクション機構７は、図１に示すように、外歯歯車のサンギヤ７ａと、このサンギヤ７ａと同心円上に配置された内歯歯車のリングギヤ７ｂと、サンギヤ７ａに噛み合うとともにリングギヤ７ｂに噛み合う複数のピニオンギヤ７ｃと、これら複数のピニオンギヤ７ｃを自転自在に保持するプラネタリキャリア７ｄとを備えている。このリダクション機構７では、プラネタリキャリア７ｄがトランスミッションケースに固定されている。また、サンギヤ７ａが第２モータジェネレータＭＧ２のロータ（回転子）に連結されている。さらに、リングギヤ７ｂが上記リングギヤ軸３ｅに連結されている。
【００３７】
−パワースイッチ−
ハイブリッド車両１には、ハイブリッドシステムの起動と停止とを切り換えるためのパワースイッチ５１（図２参照）が設けられている。このパワースイッチ５１は、例えば、跳ね返り式のプッシュスイッチあって、押圧操作される毎に、スイッチＯｎとスイッチＯｆｆとが交互に切り替わるようになっている。
【００３８】
ここで、ハイブリッドシステムとは、エンジン２およびモータジェネレータＭＧ１，ＭＧ２を走行用の駆動力源とし、そのエンジン２の運転制御、モータジェネレータＭＧ１，ＭＧ２の駆動制御、エンジン２およびモータジェネレータＭＧ１，ＭＧ２の協調制御などを含む各種制御を実行することによってハイブリッド車両１の走行を制御するシステムである。
【００３９】
パワースイッチ５１は、ドライバを含む搭乗者により操作された場合に、その操作に応じた信号（ＩＧ−Ｏｎ指令信号またはＩＧ−Ｏｆｆ指令信号）をハイブリッドＥＣＵ１０に出力する。ハイブリッドＥＣＵ１０は、パワースイッチ５１から出力された信号などに基づいてハイブリッドシステムを起動または停止する。
【００４０】
具体的には、ハイブリッドＥＣＵ１０は、ハイブリッド車両１の停車中に、パワースイッチ５１が操作された場合には、後述するＰポジションで上記ハイブリッドシステムを起動する。これにより車両が走行可能な状態となる。なお、停車中のハイブリッドシステムの起動時には、Ｐポジションでハイブリッドシステムが起動されることから、アクセルオン状態であっても、駆動力が出力されることはない。車両が走行可能な状態とは、ハイブリッドＥＣＵ１０の指令信号により車両走行を制御できる状態であって、ドライバがアクセルオンすれば、ハイブリッド車両１が発進・走行できる状態（Ｒｅａｄｙ−Ｏｎ状態）のことである。なお、Ｒｅａｄｙ−Ｏｎ状態には、エンジン２が停止状態で、第２モータジェネレータＭＧ２でハイブリッド車両１の発進・走行が可能な状態（ＥＶ走行が可能な状態）も含まれる。
【００４１】
また、ハイブリッドＥＣＵ１０は、例えば、ハイブリッドシステムが起動中で、停車時にＰポジションであるときに、パワースイッチ５１が操作（例えば、短押し）された場合にはハイブリッドシステムを停止する。
【００４２】
−シフト操作装置および変速モード−
本実施形態のハイブリッド車両１には、図２に示すようなシフト操作装置９が設けられている。このシフト操作装置９は、運転席の近傍に配置され、変位操作可能なシフトレバー９１が設けられている。また、シフト操作装置９には、パーキングポジション（Ｐポジション）、リバースポジション（Ｒポジション）、ニュートラルポジション（Ｎポジション）、ドライブポジション（Ｄポジション）、および、シーケンシャルポジション（Ｓポジション）を有するシフトゲート９ａが形成されており、ドライバが所望のポジションへシフトレバー９１を変位させることが可能となっている。シフトレバー９１が、これらＰポジション、Ｒポジション、Ｎポジション、Ｄポジション、Ｓポジション（下記の「＋」ポジションおよび「−」ポジションも含む）の各ポジションのうちのいずれに位置しているかは、シフトポジションセンサ５０によって検出される。
【００４３】
上記シフトレバー９１が「Ｄポジション」に操作されている状態では、ハイブリッドシステムは「自動変速モード」とされ、エンジン２の動作点が後述する最適燃費動作ライン上となるように変速比が制御される電気式無段変速制御が行われる。
【００４４】
一方、上記シフトレバー９１が「Ｓポジション」に操作されている状態では、ハイブリッドシステムは「手動変速モード（シーケンシャルシフトモード（Ｓモード））」とされる。このＳポジションの前後には「＋」ポジションおよび「−」ポジションが設けられている。「＋」ポジションは、マニュアルシフトアップを行う際にシフトレバー９１が操作されるポジションであり、「−」ポジションは、マニュアルシフトダウンを行う際にシフトレバー９１が操作されるポジションである。そして、シフトレバー９１がＳポジションにあるときに、シフトレバー９１がＳポジションを中立位置として「＋」ポジションまたは「−」ポジションに操作（手動による変速操作）されると、ハイブリッドシステムによって成立される擬似的な変速段（例えば第１モータジェネレータＭＧ１の制御によってエンジン回転速度を調整することで成立される変速段）がアップまたはダウンされる。具体的には、「＋」ポジションへの１回操作毎に変速段が１段ずつアップ（例えば１ｓｔ→２ｎｄ→３ｒｄ→４ｔｈ→５ｔｈ→６ｔｈ）される。一方、「−」ポジションへの１回操作毎に変速段が１段ずつダウン（例えば６ｔｈ→５ｔｈ→４ｔｈ→３ｒｄ→２ｎｄ→１ｓｔ）される。なお、この手動変速モードにおいて選択可能な段数は「６段」に限定されることなく、他の段数（例えば「４段」や「８段」）であってもよい。
【００４５】
なお、本発明における手動変速モードの概念は、上述した如くシフトレバー９１がＳポジションにあるときに限らず、シフトゲート９ａ上のレンジ位置として「２（２ｎｄ）」や「３（３ｒｄ）」等を備えている場合に、これら「２（２ｎｄ）」や「３（３ｒｄ）」のレンジ位置にシフトレバー９１が操作されている場合も含まれる。例えば、シフトレバー９１がＤポジションから「３（３ｒｄ）」レンジ位置に操作された場合には、自動変速モードから手動変速モードに切り換えられる。
【００４６】
また、運転席の前方に配設されているステアリングホイール９ｂ（図２参照）には、パドルスイッチ９ｃ，９ｄが設けられている。これらパドルスイッチ９ｃ，９ｄはレバー形状とされ、手動変速モードにおいてシフトアップを要求する指令信号を出力するためのシフトアップ用パドルスイッチ９ｃと、シフトダウンを要求する指令信号を出力するためのシフトダウン用パドルスイッチ９ｄとを備えている。上記シフトアップ用パドルスイッチ９ｃには「＋」の記号が、上記シフトダウン用パドルスイッチ９ｄには「−」の記号がそれぞれ付されている。そして、上記シフトレバー９１が「Ｓポジション」に操作されて「手動変速モード」となっている場合には、シフトアップ用パドルスイッチ９ｃが操作（手前に引く操作）されると、１回操作毎に変速段が１段ずつアップされる。一方、シフトダウン用パドルスイッチ９ｄが操作（手前に引く操作）されると、１回操作毎に変速段が１段ずつダウンされる。
【００４７】
このように、本実施形態におけるハイブリッドシステムでは、シフトレバー９１が「Ｄポジション」に操作されて「自動変速モード」になると、エンジン２が効率よく運転されるように駆動制御される。具体的には、エンジン２の運転動作点が、後述する最適燃費ライン上となるようにハイブリッドシステムが制御される。一方、シフトレバー９１が「Ｓポジション」に操作されて「手動変速モード（Ｓモード）」になると、リングギヤ軸３ｅの回転速度に対するエンジン２の回転速度の比である変速比を、ドライバの変速操作に応じて例えば６段階（１ｓｔ〜６ｔｈ）に変更することが可能となる。
【００４８】
−モータジェネレータおよびモータＥＣＵ−
モータジェネレータＭＧ１，ＭＧ２は、いずれも、発電機として駆動できるとともに電動機として駆動できる周知の同期発電電動機により構成されており、インバータ２１，２２および昇圧コンバータ２３を介してバッテリ（蓄電装置）２４との間で電力のやりとりを行う。各インバータ２１，２２、昇圧コンバータ２３およびバッテリ２４を互いに接続する電力ライン２５は、各インバータ２１，２２が共用する正極母線および負極母線として構成されており、モータジェネレータＭＧ１，ＭＧ２のいずれかで発電される電力を他のモータで消費することができるようになっている。したがって、バッテリ２４は、モータジェネレータＭＧ１，ＭＧ２のいずれかから生じた電力や不足する電力により充放電されることになる。なお、モータジェネレータＭＧ１，ＭＧ２により電力収支がバランスしている場合には、バッテリ２４は充放電されない。
【００４９】
モータジェネレータＭＧ１，ＭＧ２は、いずれも、モータ用電子制御ユニット（以下、モータＥＣＵという）１３により駆動制御される。このモータＥＣＵ１３には、モータジェネレータＭＧ１，ＭＧ２を駆動制御するために必要な信号、例えばモータジェネレータＭＧ１，ＭＧ２のロータ（回転軸）の各回転位置を検出するＭＧ１回転速度センサ（レゾルバ）２６およびＭＧ２回転速度センサ２７からの信号や電流センサにより検出されるモータジェネレータＭＧ１，ＭＧ２に印加される相電流などが入力されている。また、モータＥＣＵ１３からは、インバータ２１，２２へのスイッチング制御信号が出力されている。例えば、モータジェネレータＭＧ１，ＭＧ２のいずれかを発電機として駆動制御（例えば、第２モータジェネレータＭＧ２を回生制御）したり、電動機として駆動制御（例えば、第２モータジェネレータＭＧ２を力行制御）したりする。また、モータＥＣＵ１３は、ハイブリッドＥＣＵ１０と通信を行っており、このハイブリッドＥＣＵ１０からの制御信号にしたがって上述した如くモータジェネレータＭＧ１，ＭＧ２を駆動制御するとともに、必要に応じてモータジェネレータＭＧ１，ＭＧ２の運転状態に関するデータをハイブリッドＥＣＵ１０に出力する。
【００５０】
−バッテリおよびバッテリＥＣＵ−
バッテリ２４は、バッテリ用電子制御ユニット（以下、バッテリＥＣＵという）１４によって管理されている。このバッテリＥＣＵ１４には、バッテリ２４を管理するのに必要な信号、例えば、バッテリ２４の端子間に設置された電圧センサ２４ａからの端子間電圧、バッテリ２４の出力端子に接続された電力ライン２５に取り付けられた電流センサ２４ｂからの充放電電流、バッテリ２４に取り付けられたバッテリ温度センサ２４ｃからのバッテリ温度Ｔｂなどが入力されており、必要に応じてバッテリ２４の状態に関するデータを通信によりハイブリッドＥＣＵ１０に出力する。
【００５１】
また、バッテリＥＣＵ１４は、バッテリ２４を管理するために、電流センサ２４ｂにて検出された充放電電流の積算値に基づいて電力の残容量ＳＯＣ（Ｓｔａｔｅ  ｏｆ  Ｃｈａｒｇｅ）を演算し、また、その演算した残容量ＳＯＣとバッテリ温度センサ２４ｃにて検出されたバッテリ温度Ｔｂとに基づいてバッテリ２４を充放電してもよい最大許容電力である入力制限Ｗｉｎ，出力制限Ｗｏｕｔを演算する。なお、バッテリ２４の入力制限Ｗｉｎ，出力制限Ｗｏｕｔは、バッテリ温度Ｔｂに基づいて入力制限Ｗｉｎ，出力制限Ｗｏｕｔの基本値を設定し、バッテリ２４の残容量ＳＯＣに基づいて入力制限用補正係数と出力制限用補正係数とを設定し、上記設定した入力制限Ｗｉｎ，出力制限Ｗｏｕｔの基本値に上記補正係数を乗じることにより設定することができる。
【００５２】
−ハイブリッドＥＣＵおよび制御系−
上記ハイブリッドＥＣＵ１０は、図２に示すように、ＣＰＵ（Ｃｅｎｔｒａｌ  Ｐｒｏｃｅｓｓｉｎｇ  Ｕｎｉｔ）４０、ＲＯＭ（Ｒｅａｄ  Ｏｎｌｙ  Ｍｅｍｏｒｙ）４１、ＲＡＭ（Ｒａｎｄｏｍ  Ａｃｃｅｓｓ  Ｍｅｍｏｒｙ）４２およびバックアップＲＡＭ４３などを備えている。ＲＯＭ４１は、各種制御プログラムや、それら各種制御プログラムを実行する際に参照されるマップ等が記憶されている。ＣＰＵ４０は、ＲＯＭ４１に記憶された各種制御プログラムやマップに基づいて各種の演算処理を実行する。ＲＡＭ４２は、ＣＰＵ４０での演算結果や各センサから入力されたデータ等を一時的に記憶するメモリである。バックアップＲＡＭ４３は、例えばＩＧ−Ｏｆｆ時にその保存すべきデータ等を記憶する不揮発性のメモリである。
【００５３】
以上のＣＰＵ４０、ＲＯＭ４１、ＲＡＭ４２およびバックアップＲＡＭ４３は、バス４６を介して互いに接続されるとともに、入力インターフェース４４および出力インターフェース４５と接続されている。
【００５４】
入力インターフェース４４には、上記シフトポジションセンサ５０、上記パワースイッチ５１、アクセルペダルの踏み込み量に応じた信号を出力するアクセル開度センサ５２、ブレーキペダルの踏み込み量に応じた信号を出力するブレーキペダルセンサ５３、車体速度に応じた信号を出力する車速センサ５４等が接続されている。
【００５５】
これにより、ハイブリッドＥＣＵ１０には、シフトポジションセンサ５０からのシフトポジション信号、パワースイッチ５１からのＩＧ−Ｏｎ信号やＩＧ−Ｏｆｆ信号、アクセル開度センサ５２からのアクセル開度信号、ブレーキペダルセンサ５３からのブレーキペダルポジション信号、車速センサ５４からの車速信号等が入力されるようになっている。
【００５６】
また、入力インターフェース４４および出力インターフェース４５には、上記エンジンＥＣＵ１１、モータＥＣＵ１３、バッテリＥＣＵ１４、後述するＧＳＩ（Ｇｅａｒ  Ｓｈｉｆｔ  Ｉｎｄｉｃａｔｏｒ）−ＥＣＵ１６が接続されており、ハイブリッドＥＣＵ１０は、これらエンジンＥＣＵ１１、モータＥＣＵ１３、バッテリＥＣＵ１４およびＧＳＩ−ＥＣＵ１６との間で各種制御信号やデータの送受信を行っている。
【００５７】
−ハイブリッドシステムにおける駆動力の流れ−
このように構成されたハイブリッド車両１は、ドライバによるアクセルペダルの踏み込み量に対応するアクセル開度Ａｃｃと車速Ｖとに基づいて、駆動輪６ａ，６ｂに出力すべきトルク（要求トルク）を計算し、この要求トルクに対応する要求駆動力により走行するように、エンジン２とモータジェネレータＭＧ１，ＭＧ２とが運転制御される。具体的には、燃料消費量の削減を図るために、要求駆動力が比較的低い運転領域にあっては、第２モータジェネレータＭＧ２を利用して上記要求駆動力が得られるようにする。一方、要求駆動力が比較的高い運転領域にあっては、第２モータジェネレータＭＧ２を利用すると共に、エンジン２を駆動し、これら駆動力源（走行駆動力源）からの駆動力により、上記要求駆動力が得られるようにする。
【００５８】
より具体的には、車両の発進時や低速走行時等であってエンジン２の運転効率が低い場合には、第２モータジェネレータＭＧ２のみにより走行（以下、「ＥＶ走行」ともいう）を行う。また、車室内に配置された走行モード選択スイッチによってドライバがＥＶ走行モードを選択した場合にもＥＶ走行を行う。
【００５９】
一方、通常走行（以下、ＨＶ走行ともいう）時には、例えば上記動力分割機構３によりエンジン２の駆動力を２経路に分け（トルクスプリット）、その一方の駆動力で駆動輪６ａ，６ｂの直接駆動（直達トルクによる駆動）を行い、他方の駆動力で第１モータジェネレータＭＧ１を駆動して発電を行う。このとき、第１モータジェネレータＭＧ１の駆動により発生する電力で第２モータジェネレータＭＧ２を駆動して駆動輪６ａ，６ｂの駆動補助を行う（電気パスによる駆動）。
【００６０】
このように、上記動力分割機構３が差動機構として機能し、その差動作用によりエンジン２からの動力の主部を駆動輪６ａ，６ｂに機械的に伝達し、そのエンジン２からの動力の残部を第１モータジェネレータＭＧ１から第２モータジェネレータＭＧ２への電気パスを用いて電気的に伝達することにより、電気的に変速比が変更される電気式無段変速機としての機能が発揮される。これにより、駆動輪６ａ，６ｂ（リングギヤ軸３ｅ）の回転速度およびトルクに依存することなく、エンジン回転速度およびエンジントルクを自由に操作することが可能となり、駆動輪６ａ，６ｂに要求される駆動力を得ながらも、燃料消費率が最適化されたエンジン２の運転状態を得ることが可能となる。
【００６１】
また、高速走行時には、さらにバッテリ２４からの電力を第２モータジェネレータＭＧ２に供給し、この第２モータジェネレータＭＧ２の出力を増大させて駆動輪６ａ，６ｂに対して駆動力の追加（駆動力アシスト；力行）を行う。
【００６２】
さらに、減速時には、第２モータジェネレータＭＧ２が発電機として機能して回生発電を行い、回収した電力をバッテリ２４に蓄える。なお、バッテリ２４の充電量（上記残容量；ＳＯＣ）が低下し、充電が特に必要な場合には、エンジン２の出力を増加して第１モータジェネレータＭＧ１による発電量を増やしてバッテリ２４に対する充電量を増加する。また、低速走行時においても必要に応じてエンジン２の駆動力を増加する制御を行う場合もある。例えば、前述のようにバッテリ２４の充電が必要な場合や、エアコン等の補機を駆動する場合や、エンジン２の冷却水の温度を所定温度まで上げる場合などである。
【００６３】
また、本実施形態のハイブリッド車両１においては、車両の運転状態やバッテリ２４の状態によって、燃費を向上させるために、エンジン２を停止させる。そして、その後も、ハイブリッド車両１の運転状態やバッテリ２４の状態を検知して、エンジン２を再始動させる。このように、ハイブリッド車両１においては、パワースイッチ５１がＯＮ位置であってもエンジン２は間欠運転（エンジン停止と再始動とを繰り返す運転）される。
【００６４】
なお、本実施形態において、エンジン間欠運転は、例えば、Ｓモード時の変速段がエンジン間欠運転許可段以上である場合に許可（エンジン間欠許可）され、Ｓモード時の変速段が上記エンジン間欠運転許可段よりも低い場合に禁止（エンジン間欠禁止）される。
【００６５】
−ハイブリッド車両の基本制御−
次に、上述の如く構成されたハイブリッド車両１の基本制御について説明する。
【００６６】
図３は、ハイブリッド車両１の基本制御の手順を示すフローチャートである。このフローチャートは、ハイブリッドＥＣＵ１０において所定時間（例えば数ｍｓｅｃ）毎に繰り返し実行される。
【００６７】
ステップＳＴ１において、アクセル開度センサ５２からの出力信号により求められるアクセル開度Ａｃｃ、車速センサ５４からの出力信号により求められる車速Ｖ（リングギヤ軸３ｅの回転速度に相関がある）、前回ルーチンにおけるシーケンシャル変速段（前回ルーチンが手動変速モードであった場合にシフトポジションセンサ５０によって検出されていた変速段）Ｙｌａｓｔの取得を行う。
【００６８】
ステップＳＴ１における各種情報の取得後、ステップＳＴ２に進み、入力されたアクセル開度Ａｃｃおよび車速Ｖに基づいて要求駆動力を設定する。本実施形態では、アクセル開度Ａｃｃと車速Ｖと要求駆動力との関係が予め定められた要求駆動力設定マップがＲＯＭ４１に記憶されており、この要求駆動力設定マップが参照されて、アクセル開度Ａｃｃおよび車速Ｖに対応した要求駆動力が抽出される。
【００６９】
図４に要求駆動力設定マップの一例を示す。この要求駆動力設定マップは、車速Ｖおよびアクセル開度Ａｃｃをパラメータとしてドライバが要求する駆動力を求めるためのマップであって、異なるアクセル開度Ａｃｃに対応させて複数の特性ラインが規定されている。これら特性ラインのうち、最上段に示された特性ラインはアクセル開度Ａｃｃが全開（Ａｃｃ＝１００％）である場合に相当している。また、アクセル開度Ａｃｃが全閉である場合に相当する特性ラインは、図中に「Ａｃｃ＝０％」で示されている。
【００７０】
この要求駆動力設定マップに基づいて要求駆動力を設定した後、ステップＳＴ３に進み、エンジン２に要求される要求パワーＰｅおよび目標エンジン回転速度Ｎｅｔｒｇを設定する。具体的には、上記ステップＳＴ２で設定された要求駆動力と、車速センサ５４により検出された車速Ｖとに基づいて要求パワーＰｅを設定する。また、目標エンジン回転速度Ｎｅｔｒｇは、上記設定された要求パワーＰｅと、図５に示す目標エンジン回転速度設定マップ（目標エンジン回転速度Ｎｅｔｒｇを設定するためのマップ）とに基づいて設定される。具体体には、この目標エンジン回転速度設定マップ上に設定されているエンジン２の最適燃費動作ラインと要求パワーライン（等パワーライン；図中に二点鎖線で示す）とに基づいて目標エンジン回転速度Ｎｅｔｒｇを設定する。この最適燃費動作ラインは、通常走行用（ＨＶ走行用）運転動作点の設定制約として予め定められたエンジン２を効率よく動作させるための動作ラインである。このため、上記要求パワーＰｅを満たし且つエンジン２を効率よく動作させるためのエンジン２の運転動作点としては、この最適燃費動作ラインと、エンジン回転速度ＮｅとトルクＴｅとの相関曲線である上記要求パワーラインとの交点（図中における点Ａ）として求められることになる。図５に示すものの場合、目標エンジン回転速度はＮｅｔｒｇ１として求められる。
【００７１】
このようにしてエンジン２の要求パワーＰｅおよび目標エンジン回転速度Ｎｅｔｒｇを設定した後、ステップＳＴ４に進み、目標変速段Ｘを設定する。具体的には、上記設定された要求駆動力（ステップＳＴ２）と、アクセル開度センサ５２により検出されたアクセル開度Ａｃｃと、車速センサ５４により検出された車速Ｖと、図６に示す目標変速段設定マップとに基づいて目標変速段Ｘが設定される。この図６に示す目標変速段設定マップは、要求駆動力と車速Ｖとアクセル開度Ａｃｃとをパラメータとし、これら要求駆動力、車速Ｖ、アクセル開度Ａｃｃに応じて、適正な変速段（最適な燃費となる目標変速段（以下、「推奨変速段」という場合もある））を求めるための複数の領域（変速切替ラインにて区画された第１変速段（１ｓｔ）から第６変速段（６ｔｈ）までの領域）が設定されたマップであって、ハイブリッドＥＣＵ１０のＲＯＭ４１に記憶されている。
【００７２】
本実施形態における目標変速段設定マップにあっては、アクセルオン（Ａｃｃ＞０％）の状態では、要求駆動力が高いほど、また、車速が低いほど、Ｌｏｗギヤ段（変速比が大きいギヤ段）が目標変速段Ｘとして設定される。
【００７３】
また、アクセルオフ（Ａｃｃ＝０％）の状態では、第１変速段（１ｓｔ）から第４変速段（４ｔｈ）の間では、要求駆動力が低いほど（負の要求駆動力が大きいほど）、また、車速が低いほど、Ｌｏｗギヤ段（変速比が大きいギヤ段）が目標変速段Ｘとして設定される。また、第４変速段（４ｔｈ）から第６変速段（６ｔｈ）の間では、アクセルオフの状態での駆動力は互いに一致している。このため、アクセルオフの状態において、第１変速段（１ｓｔ）から第４変速段（４ｔｈ）の間では、選択される変速段が変化する度に駆動力が変化する。これに対し、第４変速段（４ｔｈ）から第６変速段（６ｔｈ）の間では、選択される変速段が変化しても駆動力は不変となる。
【００７４】
このため、アクセルオフ時に発生するエンジンブレーキトルク（駆動輪６ａ，６ｂに対して制動力として作用するトルク）の大きさとしては、図７に示すように、所定車速以上において、第１変速段（１ｓｔ）から第４変速段（４ｔｈ）の間ではＬｏｗギヤ段ほど大きくなるのに対し、第４変速段（４ｔｈ）から第６変速段（６ｔｈ）の間では略一定となる。
【００７５】
目標変速段Ｘを設定した後、ステップＳＴ５に進み、現在の走行モードが手動変速モード（Ｓモード）であるか否か、すなわち手動変速モードの実行中であるか否かを判定する。具体的には、シフトレバー９１の位置をシフトポジションセンサ５０によって検出し、その検出されたシフトレバー９１の位置がＳポジションであるか否かを判定するようにしている。
【００７６】
そして、手動変速モードではなくステップＳＴ５でＮＯ判定された場合には、ステップＳＴ１４に進み、前回ルーチンにおけるシーケンシャル変速段Ｙｌａｓｔをクリアする。つまり、ドライバの操作によりシフトレバー９１がＳポジション（「＋」ポジションおよび「−」ポジションを含む）以外のポジションに操作された、または、Ｓポジション以外のポジションに操作されているとしてシーケンシャル変速段Ｙｌａｓｔをクリアする。
【００７７】
その後、ステップＳＴ１３に進み、目標エンジントルクＴｅｔｒｇ、目標ＭＧ１回転速度（第１モータジェネレータＭＧ１の目標回転速度；指令回転速度）Ｎｍ１ｔｒｇ、目標ＭＧ１トルク（第１モータジェネレータＭＧ１の目標トルク；指令トルク）Ｔｍ１ｔｒｇ、目標ＭＧ２トルク（第２モータジェネレータＭＧ２の目標トルク；指令トルク）Ｔｍ２ｔｒｇを設定する。
【００７８】
ここでは、上記ステップＳＴ２において設定された要求駆動力と、上記ステップＳＴ３において設定された要求パワーＰｅおよび目標エンジン回転速度Ｎｅｔｒｇとに基づいて、目標エンジントルクＴｅｔｒｇ、目標ＭＧ１回転速度Ｎｍ１ｔｒｇ、目標ＭＧ１トルクＴｍ１ｔｒｇ、目標ＭＧ２トルクＴｍ２ｔｒｇを設定する。
【００７９】
具体的には、上記ステップＳＴ３で設定された要求パワーＰｅを目標エンジン回転速度Ｎｅｔｒｇで除することにより目標エンジントルクＴｅｔｒｇを設定する。また、上記設定した目標エンジン回転速度Ｎｅｔｒｇとリングギヤ軸３ｅの回転速度Ｎｒと動力分割機構３のギヤ比ρ（サンギヤ３ａの歯数／リングギヤ３ｂの歯数）とを用いて第１モータジェネレータＭＧ１の目標回転速度である上記目標ＭＧ１回転速度Ｎｍ１ｔｒｇを計算した上で、この計算した目標ＭＧ１回転速度Ｎｍ１ｔｒｇと現在のＭＧ１回転速度Ｎｍ１とに基づいて第１モータジェネレータＭＧ１の目標トルクである上記目標ＭＧ１トルク（指令トルク）Ｔｍ１ｔｒｇを設定する。さらに、バッテリ２４の入出力制限Ｗｉｎ，Ｗｏｕｔと、上記目標ＭＧ１トルクＴｍ１ｔｒｇおよび現在の第１モータジェネレータＭＧ１の回転速度Ｎｍ１の積として得られる第１モータジェネレータＭＧ１の消費電力（発電電力）との偏差を第２モータジェネレータＭＧ２の回転速度Ｎｍ２で除することにより第２モータジェネレータＭＧ２から出力してもよいトルクの上下限としてのトルク制限Ｔｍｉｎ，Ｔｍａｘを計算する。そして、上記目標エンジントルクＴｅｔｒｇと目標ＭＧ１トルクＴｍ１ｔｒｇと動力分割機構３のギヤ比ρとリダクション機構７のギヤ比Ｇｒとに基づいて第２モータジェネレータＭＧ２から出力すべきトルクとしての仮モータトルクＴｍ２ｔｍｐを計算し、第２モータジェネレータＭＧ２の指令トルクである目標ＭＧ２トルクＴｍ２ｔｒｇを、上記計算したトルク制限Ｔｍｉｎ，Ｔｍａｘで仮モータトルクＴｍ２ｔｍｐを制限した値として設定する。このようにして目標ＭＧ２トルクＴｍ２ｔｒｇを設定することにより、リングギヤ軸３ｅに出力するトルクが、バッテリ２４の入出力制限Ｗｉｎ，Ｗｏｕｔの範囲内で制限したトルクとして設定される。
【００８０】
以上の如く設定された目標エンジン回転速度Ｎｅｔｒｇおよび目標エンジントルクＴｅｔｒｇをエンジンＥＣＵ１１に出力し、また、上記設定された目標ＭＧ１回転速度Ｎｍ１ｔｒｇ、目標ＭＧ１トルクＴｍ１ｔｒｇ、目標ＭＧ２トルクＴｍ２ｔｒｇをモータＥＣＵ１３に出力する。そして、エンジンＥＣＵ１１は、設定された目標エンジン回転速度Ｎｅｔｒｇおよび目標エンジントルクＴｅｔｒｇに基づいてエンジン２の運転制御を行う。また、モータＥＣＵ１３は、設定された目標ＭＧ１回転速度Ｎｍ１ｔｒｇ、目標ＭＧ１トルクＴｍ１ｔｒｇに基づいて第１モータジェネレータＭＧ１を駆動制御し、設定された目標ＭＧ２トルクＴｍ２ｔｒｇに基づいて第２モータジェネレータＭＧ２を駆動制御することになる。
【００８１】
一方、上記ステップＳＴ５の判定において、手動変速モードの実行中であってＹＥＳ判定された場合には、ステップＳＴ６に進み、前回のシーケンシャル変速段Ｙｌａｓｔが存在しているか否かを判定する。ここでは、前回のシーケンシャル変速段Ｙｌａｓｔが存在しているか否かを判定することで、手動変速モードの開始時であるか、あるいは手動変速モードが継続中であるかを判定する。
【００８２】
前回のシーケンシャル変速段Ｙｌａｓｔが存在しており、ステップＳＴ６でＹＥＳ判定されると、ステップＳＴ７に進み、そのシーケンシャル変速段Ｙｌａｓｔを現在のシーケンシャル変速段Ｙとして設定する。つまり、手動変速モードが継続中であると判定されたことで、前回ルーチンで設定されたシーケンシャル変速段Ｙｌａｓｔを現在のシーケンシャル変速段Ｙとして設定する。
【００８３】
一方、前回のシーケンシャル変速段Ｙｌａｓｔが存在しておらず、ステップＳＴ６でＮＯ判定された場合には、ステップＳＴ８に進み、上記ステップＳＴ４で設定された目標変速段Ｘをシーケンシャル変速段Ｙとして設定する。つまり、手動変速モードが開始された直後である（例えばシフトレバー９１がＤポジションからＳポジションへ操作された直後である）と判定されたことで、要求駆動力等に基づいて設定された目標変速段Ｘ（ステップＳＴ４で設定された目標変速段Ｘ）を手動変速モード開始時のシーケンシャル変速段Ｙとして設定する。
【００８４】
このようにしてシーケンシャル変速段Ｙが設定された後、ステップＳＴ９に進み、ドライバによる変速操作が行われたか否かを判定する。ここでは、ドライバの操作によりＳポジションに位置するシフトレバー９１が「＋」ポジションまたは「−」ポジションに向けて操作されたことがシフトポジションセンサ５０によって検出された場合にＹＥＳ判定されることになる。
【００８５】
ドライバによる変速操作が行われ、ステップＳＴ９でＹＥＳ判定されると、ステップＳＴ１０に進んで、変速操作に基づいてシーケンシャル変速段Ｙを変更する。ここでは、ドライバの操作によりＳポジションに位置するシフトレバー９１が「＋」ポジションに操作されたとシフトポジションセンサ５０が検出した場合には、シーケンシャル変速段Ｙを、現在設定されているシーケンシャル変速段Ｙに１段（１速）増加して設定する（Ｙ＝Ｙ＋１）。また、ドライバの操作によりＳポジションに位置するシフトレバー９１が「−」ポジションに操作されたとシフトポジションセンサ５０が検出した場合には、シーケンシャル変速段Ｙを、現在設定されているシーケンシャル変速段Ｙに１段（１速）減少して設定する（Ｙ＝Ｙ−１）。このようにシーケンシャル変速段Ｙを変更した後、ステップＳＴ１１に進む。なお、ドライバによる変速操作が行われず、ステップＳＴ９でＮＯ判定された場合には、シーケンシャル変速段Ｙを変更することなくステップＳＴ１１に進む。
【００８６】
ステップＳＴ１１では、上記設定されたシーケンシャル変速段Ｙと、上記取得された車速Ｖとに基づいて目標エンジン回転速度Ｎｅｔｒｇを再設定する。ここでは、手動変速モードであると判定されたことにともなって、設定されたシーケンシャル変速段Ｙ（変速が行われていない場合は前回のシーケンシャル変速段Ｙ（＝Ｙｌａｓｔ）、変速が行われている場合は変速後のシーケンシャル変速段Ｙ（＝Ｙ±１））と、車速センサ５４により取得された車速Ｖとに基づいて目標エンジン回転速度Ｎｅｔｒｇが設定される。例えば、上記変速段毎に変速比を予め設定しておき、シーケンシャル変速段Ｙと一致する変速段に対応する変速比と、取得された車速Ｖとに基づいて目標エンジン回転速度Ｎｅｔｒｇを設定するようにしている。
【００８７】
次に、ステップＳＴ１２に進み、上記設定された目標エンジン回転速度Ｎｅｔｒｇに基づいて要求駆動力を再設定する。ここでは、手動変速モードであると判定されたことにともなって、上記設定されたシーケンシャル変速段Ｙに基づいて設定された目標エンジン回転速度Ｎｅｔｒｇに応じて要求駆動力を設定する。
【００８８】
また、本実施形態にあっては、ここで再設定される要求駆動力が、各変速段毎に予め設定された駆動力（駆動輪６ａ，６ｂに得られる回転駆動力）の上限値を超えない値として設定されるようになっている。以下、この各変速段毎に予め設定された駆動力の上限値について説明する。
【００８９】
各変速段毎に駆動力の上限値を設定する理由は、ハイブリッド車両１において、一般的な手動変速機を備えた車両と同等の駆動力特性が模擬できるようにするためである。以下、具体的に説明する。
【００９０】
図８は、各変速段毎の駆動力の上限値を規定する駆動力上限値マップである。この駆動力上限値マップは、上記ＲＯＭに記憶されている。また、この駆動力上限値マップでは、横軸を車速、縦軸を駆動力とし、各変速段（１ｓｔ〜６ｔｈ）毎に、車速に応じて駆動力の上限値を規定する駆動力上限値ラインが規定されている。そして、この駆動力上限値マップでは、変速比が小さい変速段ほど（Ｈｉギヤ段ほど）駆動力の上限値が低く設定され、また、同一変速段であっても、車速が高いほど駆動力の上限値は低く設定されるようになっている。このように駆動力の上限値を規定することにより、例えば、車両加速時などのように高い駆動力が要求される際には変速比が大きい変速段（Ｌｏｗギヤ段）への変速が必要となるようにすることで、ハイブリッド車両１において、手動変速機を備えた車両と同等の駆動力特性が模擬できるようになっている。
【００９１】
このため、上記設定された目標エンジン回転速度Ｎｅｔｒｇに基づいて再設定された要求駆動力が、現在の変速段における駆動力の上限値未満である場合には、この目標エンジン回転速度Ｎｅｔｒｇに基づいた要求駆動力が上記ステップＳＴ１２において設定される。一方、上記設定された目標エンジン回転速度Ｎｅｔｒｇに基づいて再設定された要求駆動力が、現在の変速段における駆動力の上限値以上である場合には、要求駆動力としては、この上限値に制限されることになり、この制限された要求駆動力（駆動力上限値マップから取得される駆動力上限値）が上記ステップＳＴ１２において設定される。なお、本実施形態にあっては、この駆動力が制限される状態を解消するように変速段指示制御が行われることになる。詳しくは後述する。
【００９２】
その後、ステップＳＴ１３に進み、上述と同様にして、目標エンジントルクＴｅｔｒｇ、目標ＭＧ１回転速度Ｎｍ１ｔｒｇ、目標ＭＧ１トルクＴｍ１ｔｒｇ、目標ＭＧ２トルクＴｍ２ｔｒｇを設定する。ここでは、手動変速モード実行中であると判定されたことにともなって、上記ステップＳＴ１１において設定されたシーケンシャル変速段Ｙに基づいて設定された目標エンジン回転速度Ｎｅｔｒｇと、ステップＳＴ１２において設定された要求駆動力とに基づいて、目標エンジントルクＴｅｔｒｇ、目標ＭＧ１回転速度Ｎｍ１ｔｒｇ、目標ＭＧ１トルクＴｍ１ｔｒｇ、目標ＭＧ２トルクＴｍ２ｔｒｇが設定されることになる。
【００９３】
上述のように、本実施形態にかかるハイブリッド車両１においては、手動変速モードでない場合には、アクセル開度Ａｃｃと車速Ｖに基づいて要求駆動力が設定され、要求駆動力に基づいて目標エンジン回転速度Ｎｅｔｒｇが設定され、設定された要求駆動力および目標エンジン回転速度Ｎｅｔｒｇに基づいてエンジン２の運転制御、各モータジェネレータＭＧ１，ＭＧ２の駆動制御が行われる。一方、手動変速モードである場合、ドライバがシフトレバー９１を操作することにより設定されたシーケンシャル変速段Ｙと車速Ｖとに基づいて目標エンジン回転速度Ｎｅｔｒｇが設定され、設定された目標エンジン回転速度Ｎｅｔｒｇに基づいて要求駆動力が設定され、この設定された目標エンジン回転速度Ｎｅｔｒｇおよび要求駆動力に基づいてエンジン２の運転制御、各モータジェネレータＭＧ１，ＭＧ２の駆動制御が行われる。
【００９４】
−変速指示装置−
本実施形態に係るハイブリッド車両１には、手動変速モード（Ｓモード）において、ドライバに対して変速を促す変速指示（変速案内）を行う変速指示装置が搭載されている。以下、この変速指示装置について説明する。
【００９５】
図９に示すように、車室内の運転席前方に配置されたコンビネーションメータ６には、スピードメータ６１、タコメータ６２、ウォータテンパラチャゲージ６３、フューエルゲージ６４、オドメータ６５、トリップメータ６６、および、各種のウォーニングインジケータランプなどが配置されている。
【００９６】
そして、このコンビネーションメータ６には、ハイブリッド車両１の走行状態に応じて燃費向上等を図る上で適した変速段（ギヤポジション）の選択を指示する表示部として、変速段をアップ指示する際に点灯するシフトアップランプ６７（変速指示部）、変速段をダウン指示する際に点灯するシフトダウンランプ６８（変速指示部）が配置されている。これらシフトアップランプ６７およびシフトダウンランプ６８は、例えばＬＥＤ等で構成されており、ＧＳＩ−ＥＣＵ１６（図１参照）によって点灯および消灯が制御される。これらシフトアップランプ６７、シフトダウンランプ６８、ＧＳＩ−ＥＣＵ１６およびハイブリッドＥＣＵ１０によって、本発明でいう変速指示装置が構成されている。なお、ＧＳＩ−ＥＣＵ１６を備えさせず、上記エンジンＥＣＵ１１または図示しないパワーマネージメントＥＣＵがシフトアップランプ６７およびシフトダウンランプ６８の点灯および消灯を制御する構成としてもよい。
【００９７】
この変速指示装置の基本制御としては、車速センサ５４の出力信号から現在の車速Ｖを求めるとともに、アクセル開度センサ５２の出力信号から現在のアクセル開度Ａｃｃを求め、それら車速Ｖおよびアクセル開度Ａｃｃを用いて、図４に示す要求駆動力設定マップを参照して要求駆動力を求める。また、この要求駆動力と上記車速ＶとアクセルＡｃｃとに基づいて図６に示す目標変速段設定マップを参照して推奨変速段（目標変速段）を求める。そして、その推奨変速段と現変速段（例えばシフトポジションセンサ５０によって検出されている現在の変速段）とを比較し、推奨変速段と現変速段とが同じであるか否かを判定する。そして、推奨変速段と現変速段とが同じである場合には、変速指示を非実施とする。つまり、シフトアップランプ６７およびシフトダウンランプ６８をともに非点灯とする。一方、現変速段が推奨変速段よりも低い変速段である場合には、ハイブリッドＥＣＵ１０からＧＳＩ−ＥＣＵ１６に対してシフトアップ指示を実施するための制御信号を送信してシフトアップランプ６７を点灯する（図１０（ａ）参照）。また、現変速段が推奨変速段よりも高い変速段である場合には、ハイブリッドＥＣＵ１０からＧＳＩ−ＥＣＵ１６に対してシフトダウン指示を実施するための制御信号を送信してシフトダウンランプ６８を点灯する（図１０（ｂ）参照）。
【００９８】
−変速段指示制御−
次に、本実施形態において特徴とする動作である変速段指示制御についての複数の実施形態を説明する。
【００９９】
（第１実施形態）
先ず、第１実施形態について説明する。この実施形態における変速段指示制御は、現在の駆動力と、変速指示装置の変速指示にしたがって変速段を変更したと仮定した場合におけるその変速段での駆動力の上限値（以下、「推奨変速段成立時の駆動力上限値」という）とを対比し、この推奨変速段成立時の駆動力上限値が、現在の駆動力と同一または現在の駆動力よりも大きい場合には、その推奨変速段への変速指示（シフトアップ指示やシフトダウン指示）を許可する。つまり、シフトアップ指示を行う条件が成立した場合（現変速段が推奨変速段よりも低い変速段である場合）にはシフトアップ指示を実行し、シフトダウン指示を行う条件が成立した場合（現変速段が推奨変速段よりも高い変速段である場合）にはシフトダウン指示を実行することになる。
【０１００】
一方、推奨変速段成立時の駆動力上限値が、現在の駆動力よりも小さい場合には、その推奨変速段への変速指示（シフトアップ指示やシフトダウン指示）を禁止するようにしている。つまり、シフトアップ指示を行う条件が成立したとしてもシフトアップ指示は非実施（禁止）とし、シフトダウン指示を行う条件が成立したとしてもシフトダウン指示は非実施（禁止）とすることになる。以下、具体的に説明する。
【０１０１】
図１１は、上記変速段指示制御の手順を示すフローチャート図である。このフローチャートはハイブリッド車両１の走行中において所定時間（例えば数ｍｓｅｃ）毎に繰り返し実行される。
【０１０２】
先ず、ステップＳＴ２１において、変速段指示制御の実施要求判定を行う。この判定を行う条件の一つは、上記シフト操作装置９のシフトレバーがＳポジションにあること（手動変速モードにあること）である。つまり、上記シフトポジションセンサ５０によって検出されるシフトレバー９１の位置がＳポジションにある場合に、変速段指示制御の実施要求があると判定されて、後述する変速段指示制御実施要求フラグがＯＮされることになる。
【０１０３】
この変速段指示制御の実施要求判定を行った後、ステップＳＴ２２に移り、上記変速段指示制御実施要求フラグがＯＮとなっているか否か、つまり、変速段指示制御の実施要求があると判断されているか否かを判定する。
【０１０４】
例えばシフト操作装置９のシフトレバー９１がドライブ（Ｄ）位置にあるなどして、変速段指示制御実施要求フラグがＯＦＦ、つまり、変速段指示制御の実施要求がないと判断された場合には、ステップＳＴ２２でＮＯ判定され、変速段指示制御の必要はないとして、そのままリターンされる。
【０１０５】
一方、変速段指示制御実施要求フラグがＯＮ、つまり、変速段指示制御の実施要求があると判断された場合には、ステップＳＴ２３に移り、現在の駆動力（現駆動力）と、推奨変速段成立時の駆動力上限値とを対比し、この推奨変速段成立時の駆動力上限値が、現駆動力以上となっているか否かを判定する。この推奨変速段は、上述した如く、要求駆動力と車速ＶとアクセルＡｃｃとに基づいて図６に示す目標変速段設定マップを参照して求められる。また、推奨変速段成立時の駆動力上限値は、上記駆動力上限値マップ（図８を参照）に、推奨変速段および現在の車速を当て嵌めることによって取得される。
【０１０６】
上記推奨変速段成立時の駆動力上限値が、現駆動力以上であり、ステップＳＴ２３でＹＥＳ判定された場合には、ステップＳＴ２５以降の変速指示動作に移る。一方、上記推奨変速段成立時の駆動力上限値が、現駆動力未満であり、ステップＳＴ２３でＮＯ判定された場合には、ステップＳＴ２４に移り、この推奨変速段への変速を行った場合には、現在の駆動力が得られなくなるとして、この推奨変速段への変速を行わせないように、シフト指示を非実施（禁止）とする。つまり、推奨変速段が現在の変速段よりもＨｉギヤ側であったとしてもシフトアップ指示は非実施（禁止）とし、推奨変速段が現在の変速段よりもＬｏｗギヤ側であったとしてもシフトダウン指示は非実施（禁止）とする。つまり、シフトアップランプ６７およびシフトダウンランプ６８をともに消灯とする。
【０１０７】
一方、ステップＳＴ２３でＹＥＳ判定された場合（推奨変速段成立時の駆動力上限値が、現駆動力以上であることによりＹＥＳ判定された場合）には、ステップＳＴ２５に移り、現在、上記シフト操作装置９において手動で選択されている変速段（現変速段）と、現在の車速およびアクセル開度等から求められる推奨変速段とを対比し、現変速段が推奨変速段よりも低い変速段（現変速段＜推奨変速段）、つまり、変速比が大きいＬｏｗギヤ側の変速段となっているか否かを判定する。なお、現変速段については、例えば、動力分割機構３の入力軸（プラネタリキャリア３ｄ）の回転速度（エンジン回転速度）と、リングギヤ軸３ｅの回転速度（車速センサ５４または出力軸回転速度の出力信号から認識）との比（変速比）を算出し、その算出した変速比から認識することができる。また、シフトポジションセンサ５０の出力信号に基づいて、シフトレバー９１をＳポジションに操作したときに設定される変速段（上記図３のフローチャートにおいてステップＳＴ７またはＳＴ８で設定された変速段）、または、Ｓポジションでの「＋」ポジションや「−」ポジションへの操作によって設定された変速段（上記図３のフローチャートにおいてステップＳＴ１０で設定された変速段）によって認識することも可能である。
【０１０８】
そして、現変速段が推奨変速段よりも低い変速段であって、ステップＳＴ２５でＹＥＳ判定された場合には、ステップＳＴ２６に移り、ハイブリッドＥＣＵ１０からＧＳＩ−ＥＣＵ１６に対してシフトアップ指令を実施するための制御信号が送信され、このＧＳＩ−ＥＣＵ１６はシフトアップランプ６７を点灯させる。このシフトアップランプ６７の点灯にしたがって、運転車がシフトレバーを「＋」位置へ操作、または、シフトアップ用パドルスイッチ９ｃを操作すると、ハイブリッドシステムではシフトアップ動作が行われる。このシフトアップ動作にともなって上記シフトアップランプ６７は消灯される。
【０１０９】
一方、ステップＳＴ２５において、現変速段が推奨変速段よりも低い変速段とはなっていない場合には、ステップＳＴ２７に移り、現在、上記シフト操作装置９において手動で選択されている現変速段と、現在の車速およびアクセル開度等から求められる推奨変速段とを対比し、現変速段が推奨変速段よりも高い変速段（現変速段＞推奨変速段）、つまり、変速比が小さいＨｉギヤ側の変速段となっているか否かを判定する。
【０１１０】
そして、現変速段が推奨変速段よりも高い変速段であって、ステップＳＴ２７でＹＥＳ判定された場合には、ステップＳＴ２８に移り、ハイブリッドＥＣＵ１０からＧＳＩ−ＥＣＵ１６に対してシフトダウン指令を実施するための制御信号が送信され、このＧＳＩ−ＥＣＵ１６はシフトダウンランプ６８を点灯させる。このシフトダウンランプ６８の点灯にしたがって、運転車がシフトレバーを「−」位置へ操作、または、シフトダウン用パドルスイッチ９ｄを操作すると、ハイブリッドシステムではシフトダウン動作が行われる。このシフトダウン動作にともなって上記シフトダウンランプ６８は消灯される。
【０１１１】
そして、上記ステップＳＴ２７において、現変速段が推奨変速段よりも高い変速段とはなっていない場合には、このステップＳＴ２７でＮＯ判定されてステップＳＴ２４に移り、ハイブリッドＥＣＵ１０からＧＳＩ−ＥＣＵ１６に対してシフトアップ指令およびシフトダウン指令を共に禁止するための制御信号が送信され、このＧＳＩ−ＥＣＵ１６はシフトアップランプ６７およびシフトダウンランプ６８を共に消灯する。つまり、変速段が適切に設定されているとして、変速指示動作を非実行とする。
【０１１２】
以上説明してきたように、本実施形態によれば、上記推奨変速段成立時の駆動力上限値と現駆動力とを対比し、この推奨変速段成立時の駆動力上限値が現駆動力未満である場合には推奨変速段へのシフト指示を非実施としている。これにより、変速指示装置の変速指示にしたがって変速段を変更した場合に、上記駆動力上限値が設定されていることに起因して駆動力が制限されてしまって、運転者が要求している駆動力が得られなくなるといった状況を回避できる。その結果、変速操作にともなってヘジテーション（車両のもたつき感）を感じてしまうなどといったドライバビリティの悪化を回避することができる。また、適正な駆動力を得ることができるため、アクセルペダルの踏み込み量が比較的大きい場合や、登坂路の走行時などにおいて、駆動力不足により運転者に違和感を与えてしまうといったこともなくなる。
【０１１３】
（駆動力上限値マップの変形例）
次に、駆動力上限値マップの変形例について説明する。上述した実施形態では、図８に示す駆動力上限値マップによって、変速段および車速をパラメータとして駆動力の上限値を規定していた。
【０１１４】
本変形例では、図１２に示す駆動力上限値マップによって、変速段および車速をパラメータとして駆動力の上限値を規定するものである（この図１２では第１変速段（１ｓｔ）から第４変速段（４ｔｈ）までの駆動力上限値のみを示している）。この駆動力上限値マップでは、それぞれの変速段において、駆動力の上限値が極大となる車速を設定しておき、この上限値が極大となる車速に対する偏差が大きくなるほど駆動力の上限値を小さく設定するようにしている。また、変速比が小さいＨｉギヤ側の変速段ほど、駆動力の上限値が極大となる車速としては高く設定され、且つその上限値が小さく設定されている。
【０１１５】
このような駆動力上限値マップにしたがって変速段毎の駆動力の上限値を規定することによっても、ハイブリッド車両１において、手動変速機を備えた車両と同等の駆動力特性が模擬できる。
【０１１６】
（参考例１）
次に、参考例１について説明する。本参考例１は、アクセルペダルの踏み込み量が大きくなるなどして要求パワーが大きくなり、それにともなって車両の駆動力が上昇していった場合に、この駆動力が、現在選択されている変速段に対して設定されている駆動力の上限値に近づいた場合には、変速指示装置によってシフトダウン側への変速指示を実施するようにしたものである。つまり、上昇する駆動力が、上記上限値によって制限される前段階で、駆動力の上限値が高く設定されている変速段側への変速を促すことによって、駆動力が上限値によって制限されてしまうことを回避するようにしている。以下、具体的に説明する。
【０１１７】
図１３は、本参考例１において上記ＲＯＭ４１に記憶されている駆動力上限値マップである。この駆動力上限値マップも、各変速段毎の駆動力の上限値を規定するものであり、横軸を車速、縦軸を駆動力とし、各変速段（１ｓｔ〜６ｔｈ）毎に、車速に応じて駆動力の上限値を規定する駆動力上限値ライン（図１３に実線で示すライン）が規定されている。
【０１１８】
そして、本参考例１における駆動力上限値マップでは、各駆動力上限値ラインそれぞれに対して、低駆動力側に所定の偏差（マージン）αを存して規定された変速指示ラインが設定されている（図中の破線を参照）。この変速指示ラインは、変速指示装置によるシフトダウン側への変速指示を開始するタイミングを規定するものであり、駆動力が上昇し、その駆動力が変速指示ラインに達した時点で変速指示装置によるシフトダウン側への変速指示を開始するようにしている。例えば、手動により選択されている変速段が第３変速段（３ｒｄ）であった場合に、駆動力が上昇し、その駆動力が、この第３変速段（３ｒｄ）に対して設定されている変速指示ライン（破線）に達した時点で変速指示装置によるシフトダウン側への変速指示（第２変速段（２ｎｄ）への変速指示）を開始するようにしている。つまり、駆動力が、この第３変速段（３ｒｄ）に対して設定されている駆動力上限値ライン（実線）に達する前段階で変速指示を行うようにしている。
【０１１９】
また、上記偏差（マージン）αとしては、任意の値が設定可能であるが、通常の加速要求時において駆動力が上昇していく場合に、その駆動力が変速指示ライン（破線）に達し、シフトダウン側への変速指示を開始してから、その駆動力が駆動力上限値ライン（実線）に達するまでの期間内に運転者による変速操作（シフトダウン側への変速操作）が完了できるように設定されている。これにより、駆動力が駆動力上限値によって制限される前に、この駆動力上限値を高い側に切り換える（シフトダウン側への変速操作によって、駆動力上限値を高い側に切り換える）ことが可能になる。
【０１２０】
以下、本参考例１における変速段指示制御を、図１４のフローチャートに沿って説明する。
【０１２１】
先ず、ステップＳＴ３１において、変速段指示制御の実施要求判定を行う。この判定は、上記第１実施形態における図１１のフローチャートのステップＳＴ２１の動作と同様に行われる。
【０１２２】
その後、ステップＳＴ３２に移り、変速段指示制御の実施要求があると判断されているか否かを判定し、シフト操作装置９のシフトレバーがドライブ（Ｄ）位置にあるなどして、変速段指示制御実施要求フラグがＯＦＦ、つまり、変速段指示制御の実施要求がないと判断された場合には、ステップＳＴ３２でＮＯ判定され、変速段指示制御の必要はないとして、そのままリターンされる。
【０１２３】
一方、変速段指示制御実施要求フラグがＯＮ、つまり、変速段指示制御の実施要求があると判断された場合には、ステップＳＴ３３に移り、現在の駆動力（現駆動力）と、現在選択されている変速段（現変速段）に対して設定されている駆動力の上限値から所定量α（上述した偏差）を減算した値とを対比し、現在の駆動力が、現変速段での駆動力上限値から所定量αを減算した値を超えたか否か、つまり、現在の駆動力が、上記変速指示ラインに達しているか（駆動力上限値に対し所定量αまで近づいたか）否かを判定する。
【０１２４】
そして、現駆動力が、現変速段での駆動力上限値から所定量αを減算した値を超えたことで、ステップＳＴ３３でＹＥＳ判定された場合には、ステップＳＴ３４に移り、シフトダウン指示を行う。つまり、ハイブリッドＥＣＵ１０からＧＳＩ−ＥＣＵ１６に対してシフトダウン指令を実施するための制御信号が送信され、このＧＳＩ−ＥＣＵ１６はシフトダウンランプ６８を点灯させる。このシフトダウンランプ６８の点灯にしたがって、運転車がシフトレバーを「−」位置へ操作、または、シフトダウン用パドルスイッチ９ｄを操作すると、ハイブリッドシステムではシフトダウン動作が行われる。このシフトダウン動作により、上記駆動力の上限値は高くなり、駆動力が上限値（シフトダウン操作前の変速段で設定されていた駆動力の上限値）によって制限されてしまうといった状況を回避できる。
【０１２５】
一方、現駆動力が、現変速段での駆動力上限値から所定量αを減算した値を超えておらず、ステップＳＴ３３でＮＯ判定された場合には、ステップＳＴ３５以降の変速指示動作に移る。図１４におけるステップＳＴ３５〜ステップＳＴ３９の動作は、上記第１実施形態における図１１のフローチャートのステップＳＴ２５〜ステップＳＴ２８、ステップＳＴ２４の動作と同様に行われるので、ここでの説明は省略する。
【０１２６】
以上のように、本参考例１においては、駆動力上限値マップにおける各駆動力上限値ラインそれぞれに対して、低駆動力側に所定の偏差（マージン）を存して規定された変速指示ラインが設定されており、駆動力が、この変速指示ラインに達した時点で、変速指示装置によるシフトダウン側への変速指示を開始するようにしている。このため、上昇する駆動力が上記上限値によって制限される前段階で、駆動力の上限値が高く設定されている変速段側（Ｌｏｗギヤ側）への変速を促すことによって、駆動力が上限値によって制限されてしまうことを回避でき、運転者の要求する駆動力を得ることが可能である。
【０１２７】
なお、本参考例１では、駆動力が、現在選択されている変速段に対して設定されている駆動力の上限値に近づいた場合に、変速指示装置によってシフトダウン側への変速指示を実施するようにしていたが、これに限らず、駆動力が、現在選択されている変速段に対して設定されている駆動力の上限値に達した時点で、変速指示装置によってシフトダウン側への変速指示を実施するようにしてもよい。
【０１２８】
（第２実施形態）
次に、第２実施形態について説明する。上述した参考例１では、上記現変速段での駆動力上限値から減算される所定量αとしては固定値としていた。本第２実施形態では、この所定量αをエンジンＥの運転状態に応じて切り換えるようにしたものである。
【０１２９】
具体的には、エンジンＥの過渡運転時には、この所定量αを比較的大きな値に設定する一方、エンジンＥの定常運転時には、この所定量αを比較的小さな値に設定している。このエンジンＥの状態が過渡運転であるか否かの判定は、例えば上記アクセル開度センサ５２の出力信号から求められるアクセル開度Ａｃｃの単位時間当たりの変化量を計測し、この値が所定値以上である場合（アクセルペダルの踏み込み速度が高い場合）にはエンジンＥの状態が過渡運転であると判定し、この値が所定値未満である場合にはエンジンＥの状態が定常運転であると判定する。この場合の判定閾値（上記所定値）としては任意に設定可能である。
【０１３０】
また、エンジン回転速度の単位時間当たりの変化量や、車速の単位時間当たりの変化量に応じて、エンジンＥの状態が過渡運転であるか否かを判定するようにしてもよい。つまり、エンジン回転速度の単位時間当たりの変化量が所定値以上である場合や、車速の単位時間当たりの変化量が所定値以上である場合にはエンジンＥの状態が過渡運転であると判定するものである。この場合にあっても、判定閾値（上記所定値）としては任意に設定可能である。
【０１３１】
具体的には、図１５に示す所定量αの設定ルーチンにおいて、ステップＳＴ４１で過渡運転中であるか否かを判定する。過渡運転中であり、ステップＳＴ４１でＹＥＳ判定された場合にはステップＳＴ４２に移り、上記所定量αの値としては比較的大きな値であるα１を適用する。一方、過渡運転中ではなく、ステップＳＴ４１でＮＯ判定された場合にはステップＳＴ４３に移り、上記所定量αの値としては比較的小さな値であるα２を適用する。このようにして求められた所定量αを上記参考例１のステップＳＴ３３での演算に使用することになる。なお、上記α１およびα２の値としては、実験やシミュレーションによって適宜設定される。
【０１３２】
本第２実施形態における制御として、より具体的には、上記所定量αが互いに異なる駆動力上限値マップを予めＲＯＭ４１に記憶させておき、上記設定された所定量α（α１またはα２）に応じて、使用する駆動力上限値マップを切り換えるようにする。図１６（ａ）は上記所定量αが比較的大きな値であるα１となった場合に使用される駆動力上限値マップであり、図１６（ｂ）は上記所定量αが比較的小さな値であるα２となった場合に使用される駆動力上限値マップである。これらの図に示すように、所定量αが比較的大きな値であるα１となった場合に使用される駆動力上限値マップ（図１６（ａ））では、変速指示ライン（破線）が駆動力上限値ライン（実線）から離間しており、このマップが選択された場合には、駆動力の上昇時において、変速指示装置によるシフトダウン側への変速指示が早めに開始されることになる。一方、所定量αが比較的小さな値であるα２となった場合に使用される駆動力上限値マップ（図１６（ｂ））では、変速指示ライン（破線）が駆動力上限値ライン（実線）に近接しており、このマップが選択された場合には、駆動力の上昇時において、変速指示装置によるシフトダウン側への変速指示が遅めに開始されることになる。
【０１３３】
このようにして過渡状態に応じて、シフトダウン側への変速指示タイミングを切り換えることにより、その変速指示タイミングの適正化を図り、駆動力が上限値によって制限されてしまうことを回避しながらも、できる限り、変速比が小さいＨｉギヤ側の変速段を使用した走行状態を継続させることによって、燃料消費率の改善を図ることができる。
【０１３４】
（参考例２）
次に、参考例２について説明する。上述した第２実施形態では、上記現変速段での駆動力上限値から減算される所定量αをエンジンＥの運転状態に応じて切り換えるようにしていた。本参考例２では、この所定量αを、車両１が登坂路を走行している場合の路面の勾配に応じて切り換えるようにしたものである。
【０１３５】
具体的には、走行している路面勾配が比較的大きい場合には、この所定量αを比較的大きな値に設定する一方、路面勾配が比較的小さい場合には、この所定量αを比較的小さな値に設定している。この路面勾配は例えばハイブリッド車両１に搭載された加速度センサ（Ｇセンサ）の検出値から求められる。
【０１３６】
具体的には、図１７に示す所定量αの設定ルーチンにおいて、ステップＳＴ５１で路面勾配が所定値以上であるか否かを判定する。路面勾配が所定値以上であり、ステップＳＴ５１でＹＥＳ判定された場合にはステップＳＴ５２に移り、上記所定量αの値としては比較的大きな値であるα１を適用する。一方、路面勾配が所定値未満であり、ステップＳＴ５１でＮＯ判定された場合にはステップＳＴ５３に移り、上記所定量αの値としては比較的小さな値であるα２を適用する。このようにして求められた所定量αを上記参考例１のステップＳＴ３３での演算に使用することになる。この場合の判定閾値（上記所定値）としては任意に設定可能である。
【０１３７】
より具体的には、上記所定量αが互いに異なる駆動力上限値マップを予めＲＯＭ４１に記憶させておき、上記設定された所定量α（α１またはα２）に応じて、使用する駆動力上限値マップを切り換えるようにする。つまり、路面勾配が所定値以上であり、上記所定量αが比較的大きな値であるα１となった場合には、図１６（ａ）に示す駆動力上限値マップを使用する一方、路面勾配が所定値未満であり、上記所定量αが比較的小さい値であるα２となった場合には、図１６（ｂ）に示す駆動力上限値マップを使用する。
【０１３８】
これにより、特に駆動力（要求駆動力）の上昇速度が高くなると想定される勾配（登り勾配）が大きな路面を走行している場合に、変速指示装置によるシフトダウン側への変速指示を早めに開始させ、上昇する駆動力が、上記上限値によって制限されてしまうといった状況を回避する。これにより、車両１の登坂路の走破性を高めることができる。
【０１３９】
また、路面勾配に応じて上記所定量αを変更するものとしては、図１８に示すように、路面勾配に応じて上記所定量αを連続的に変化させるようにしたマップをＲＯＭ４１に記憶させておき、このマップに路面勾配を当て嵌めて上記所定量αを抽出するようにしてもよい。この図１８に示すマップでは、路面勾配が所定値θ１に達するまでは上記所定量αを一定の値とし、路面勾配が所定値θ１を超えると、路面勾配が大きくなるにしたがって上記所定量αも大きな値となるようにしている。
【０１４０】
（第３実施形態）
次に、第３実施形態について説明する。本実施形態は、キックダウンスイッチ（アクセルペダルの踏み込み量が所定量に達した場合に変速段をＬｏｗギヤ側に自動変更するためのスイッチ）を搭載した車両に本発明を適用した場合である。
【０１４１】
具体的には、運転者によるアクセルペダルの踏み込み量が所定量に達してキックダウンスイッチがＯＮされた場合には、変速指示装置によるシフト指示を非実施とするようにしている。
【０１４２】
具体的に図１９のフローチャートに沿って説明する。なお、ここでは、図１９のフローチャートにおいて、上記第１実施形態において図１１で示したフローチャートにおける各ステップと同一の動作については同ステップ番号を付し、その説明を省略する。
【０１４３】
変速段指示制御実施要求フラグがＯＮ、つまり、変速段指示制御の実施要求があると判断されてステップＳＴ２２でＹＥＳ判定された場合には、ステップＳＴ２９に移り、上記キックダウンスイッチがＯＮとなっているか、つまり、運転者によるアクセルペダルの踏み込み量が所定量に達しているか否かを判定する。
【０１４４】
そして、キックダウンスイッチがＯＦＦであり、ステップＳＴ２９でＮＯ判定された場合には、ステップＳＴ２３において、現駆動力と、推奨変速段成立時の駆動力上限値との対比動作に移る。以下のステップＳＴ２５〜ステップＳＴ２８の動作は、上述した第１実施形態の場合と同様である。
【０１４５】
一方、キックダウンスイッチがＯＮとなっており、ステップＳＴ２９でＹＥＳ判定された場合には、ステップＳＴ２４に移り、シフト指示を非実施とする。これは、キックダウンスイッチがＯＮとなっている状況では、運転者は車両１の加速を要求しており、燃料消費率の改善よりも、キックダウンスイッチがＯＮされたことによるシフトダウン動作（自動シフトダウン動作）による車両の加速性能を優先すべきとして、シフト指示を非実施とするものである。
【０１４６】
これにより、運転者が車両の加速を要求しているにも拘わらず、変速指示装置による変速指示が行われることによる違和感を防止することができる。
【０１４７】
（第４実施形態）
次に、第４実施形態について説明する。本実施形態も、キックダウンスイッチを搭載した車両に本発明を適用した場合である。
【０１４８】
具体的には、運転者によるアクセルペダルの踏み込み量が所定量に達してキックダウンスイッチがＯＮされた場合には、自動的にシフトダウン動作が行われることになるため、車速の上昇に伴ってシフトアップ条件が成立した場合に限り、シフトアップ指示を行うようにしたものである。
【０１４９】
具体的に図２０のフローチャートに沿って説明する。なお、ここでも、図２０のフローチャートにおいて、上記第１実施形態において図１１で示したフローチャートおよび上記第３実施形態において図１９で示したフローチャートにおける各ステップと同一の動作については同ステップ番号を付し、その説明を省略する。
【０１５０】
ステップＳＴ２９の判定において、キックダウンスイッチがＯＮとなっておりＹＥＳ判定された場合には、ステップＳＴ３０に移り、現変速段が推奨変速段よりも低い変速段（現変速段＜推奨変速段）、つまり、変速比が大きいＬｏｗギヤ側の変速段となっているか否かを判定する。そして、現変速段が推奨変速段よりも低い変速段であって、ステップＳＴ３０でＹＥＳ判定された場合には、ステップＳＴ２６に移り、シフトアップ指示を行う。つまり、ハイブリッドＥＣＵ１０からＧＳＩ−ＥＣＵ１６に対してシフトアップ指令を実施するための制御信号が送信され、このＧＳＩ−ＥＣＵ１６はシフトアップランプ６７を点灯させる。このシフトアップランプ６７の点灯にしたがって、運転車がシフトレバーを「＋」位置へ操作、または、シフトアップ用パドルスイッチ９ｃを操作すると、ハイブリッドシステムではシフトアップ動作が行われる。
【０１５１】
一方、ステップＳＴ３０において、現変速段が推奨変速段よりも低い変速段とはなっていない場合には、ステップＳＴ２４に移り、シフト指示を非実施とする。
【０１５２】
本実施形態では、一旦、キックダウンスイッチがＯＮとなって自動的にシフトダウン動作が行われた場合であっても、車速の上昇に伴ってシフトアップ条件が成立した場合には、シフトアップ指示を行うことができる。このため、運転者が、このシフトアップ指示にしたがってシフトアップ操作を行えば、燃料消費率の改善を図ることができる。
【０１５３】
−他の実施形態−
以上説明した各実施形態では、ＦＦ（フロントエンジン・フロントドライブ）方式のハイブリッド車両の制御に本発明を適用した例を示したが、本発明はこれに限られることなく、ＦＲ（フロントエンジン・リアドライブ）方式のハイブリッド車両や、４輪駆動方式のハイブリッド車両の制御にも適用できる。
【０１５４】
また、上記各実施形態では、第１モータジェネレータＭＧ１および第２モータジェネレータＭＧ２の２つの発電電動機が搭載されたハイブリッド車両の制御に本発明を適用した例を示したが、１つの発電電動機が搭載されたハイブリッド車両や３つ以上の発電電動機が搭載されたハイブリッド車両の制御にも本発明は適用可能である。
【０１５５】
また、本発明は、シリーズハイブリッドシステムを搭載したハイブリッド車両に対しても適用可能である。さらには、変速システムとしては、レンジホールドタイプのもの（選択された変速段に対し、Ｌｏｗギヤ段側への自動変速が可能なもの）やギヤホールドタイプ（選択された変速段が維持されるもの）に対しても本発明は適用可能である。ここでいうレンジホールドタイプとは、シフトレバーがＳポジションにある場合に、ハイブリッドＥＣＵ１０が、現在の変速段を上限変速段とし、その上限変速段を最も高い側の変速段（最も低い側の変速比）とする制限変速段範囲内で自動変速を行うものである。例えば、手動変速モードにおける変速段が、第３変速段（３ｒｄ）である場合、その第３変速段を上限変速段とし、第３変速段（３ｒｄ）〜第１変速段（１ｓｔ）の間において自動変速が可能な状態となる。
【０１５６】
また、上記各実施形態における目標変速段設定マップでは、第４変速段（４ｔｈ）から第６変速段（６ｔｈ）の間では、アクセルオフの状態で要求される駆動力は互いに一致しているものとしていた。本発明はこれに限らず、第１変速段（１ｓｔ）から第６変速段（６ｔｈ）の全ての変速段同士の間で、Ｌｏｗギヤ段（変速比が大きいギヤ段）ほど駆動力が低く（負の駆動力が大きく）設定されるようにしたものであってもよい。
【産業上の利用可能性】
【０１５７】
本発明は、シーケンシャルシフトモードを有する電気式無段変速機構を備えたハイブリッド車両において、ドライバに対して変速指示を行う変速指示装置に適用可能である。
【符号の説明】
【０１５８】
１              ハイブリッド車両
２              エンジン（内燃機関）
２ａ            クランクシャフト
３              動力分割機構（変速部）
３ａ            サンギヤ
３ｂ            リングギヤ
３ｄ            プラネタリキャリア
３ｅ            リングギヤ軸（エンジンの出力軸）
６ａ，６ｂ      前輪（駆動輪）
６７            シフトアップランプ（変速指示部）
６８            シフトダウンランプ（変速指示部）
７              リダクション機構
９              シフト操作装置
１０            ハイブリッドＥＣＵ
１６            ＧＳＩ−ＥＣＵ
ＭＧ１          第１モータジェネレータ（第１の電動機）
ＭＧ２          第２モータジェネレータ（第２の電動機）
【図１】
0005733194.tif 000002
【図２】
0005733194.tif 000003
【図３】
0005733194.tif 000004
【図４】
0005733194.tif 000005
【図５】
0005733194.tif 000006
【図６】
0005733194.tif 000007
【図７】
0005733194.tif 000008
【図８】
0005733194.tif 000009
【図９】
0005733194.tif 000010
【図１０】
0005733194.tif 000011
【図１１】
0005733194.tif 000012
【図１２】
0005733194.tif 000013
【図１３】
0005733194.tif 000014
【図１４】
0005733194.tif 000015
【図１５】
0005733194.tif 000016
【図１６】
0005733194.tif 000017
【図１７】
0005733194.tif 000018
【図１８】
0005733194.tif 000019
【図１９】
0005733194.tif 000020
【図２０】
0005733194.tif 000021